(57)【特許請求の範囲】
【請求項１】
少なくともミニディスクに対して記録再生するミニディスク装置と、ＡＭ放送を受信するためのアンテナを内蔵アンテナと外部アンテナとから選択してＡＭ放送を受信するＡＭ放送受信手段と、前記２アンテナの内の一つを選択する制御手段と、該制御手段におけるアンテナの選択に関連する事項を表示する表示手段とが一の筐体又は筐体内に装着されている録音機能付きラジオ受信装置であって、
前記制御手段がすでに前記内蔵アンテナを選択している場合に、前記ミニディスク装置が記録モードになると、前記制御部は前記内蔵アンテナに代えて外部アンテナを選択し、
また、前記外部アンテナが前記ＡＭ放送受信手段のアンテナ端子に接続されていない場合に、前記ミニディスク装置が記録モードになると、前記した外部アンテナが接続されていない事実又は該事実に関連する事項を前記表示手段に表示するとともに、前記ミニディスク装置による記録を禁止することを特徴とする録音機能付きラジオ受信装置。
【請求項２】
前記表示手段は少なくとも音響情報又は文字情報又は画像情報を表示することを特徴とする請求項１記載の録音機能付きラジオ受信装置。
【請求項３】
請求項１記載の録音機能付きラジオ受信装置において、アンテナ切り換えについて自動モードとなっておりかつミニディスク装置が非記録モードである期間、前記制御手段では前記内蔵アンテナ又は前記外部アンテナを前記ＡＭ放送受信手段に接続して前記ＡＭ放送受信手段におけるＲＦ信号の振幅を比較し、該振幅が大きい方のアンテナを選択することを特徴とする録音機能付きラジオ受信装置。
【発明の詳細な説明】
【０００１】
【発明の属する技術分野】
本発明は、録音機能を有するラジオ受信装置に関し、特に、内蔵アンテナの他に外部アンテナを接続可能にされていて、且つ録音部とＡＭ放送受信手段とが同一の筐体に設けられたラジオ受信装置に関する。
【０００２】
【従来の技術】
ミニディスクに対して記録再生するミニディスク装置と、ＡＭ放送を受信するためのアンテナを内蔵アンテナと外部アンテナとから選択してＡＭ放送を受信するＡＭ放送受信手段とが一の筐体に装着されている録音機能付きラジオ受信装置において、従来は、使用するアンテナの選択は操作者が手動で行うか、或いは制御装置が使用するアンテナを自動的に選択するようにされていた。
使用するアンテナをラジオ受信手段の内蔵アンテナとするか、或いは前記筐体から離れた位置に設けられた着脱可能な外部アンテナとするかは、使用するアンテナを選択する制御装置によって自動的に行われる。この場合、前記制御手段は前記内蔵アンテナと前記外部アンテナのうち、ＡＭ放送をより良好に受信出来る方のアンテナを選択する。
【０００３】
【発明が解決しようとする課題】
しかしながら、前記制御手段で前記内蔵アンテナが選択されている状態で、前記ＡＭ放送を受信しながら前記ミニディスク装置を用いて録音を行う場合には、前記ミニディスク装置が電磁波を放射し、該電磁波が前記ミニディスク装置の近傍にある前記ＡＭ放送受信手段の内蔵アンテナに入り妨害電波を与える結果となって、ＡＭ放送が良好に受信できないと言う問題があった。また、操作者は前記したように良好に受信できていない状態でＡＭ放送を受信し、該受信した音響信号を録音してしまうという問題があった。
【０００４】
さらに、前記したように前記ミニディスク装置を用いて録音を行う場合に、外部アンテナを使用するように操作者が手動でアンテナを選択したとしても、前記外部アンテナが接続されていない場合に、この事実に気づかずに結果的に雑音の多い音響信号を録音してしまうと言う問題があった。
本発明は、前記問題点に鑑みてなされたものであり、その目的は、アンテナの選択が確実に行え、ミニディスク装置で記録中も良好な受信状態で受信できる録音機能付きラジオ受信装置を提供することである。
【０００５】
【説題を解決するための手段】
本発明は上記目的を達成するために次のような構成でなされたものである。
第１の発明は、少なくともミニディスクに対して記録再生するミニディスク装置と、ＡＭ放送を受信するためのアンテナを内蔵アンテナと外部アンテナとから選択してＡＭ放送を受信するＡＭ放送受信手段と、前記外部アンテナが前記ＡＭ放送受信手段のアンテナ端子に接続されているかどうかを判別する制御手段と、該制御手段からの出力を表示する表示手段とが一の筐体又は筐体内に装着されている録音機能付きラジオ受信装置であって、操作者が前記制御手段に対して前記外部アンテナを選択するよう指示し、且つ前記外部アンテナが前記ＡＭ放送受信手段のアンテナ端子に接続されていない場合に、外部アンテナが接続されていない事実又は該事実に関連する事項を前記表示手段に表示するようにした録音機能付きラジオ受信装置である。
【０００６】
本発明によれば、ミニディスク装置が記録モード時に発生する電磁波の悪影響を受けて、雑音の多い悪い受信状態でＡＭ放送を受信したり、これを録音してしまうのを防止することができる。すなわち、ミニディスク装置で録音することが予め分かっている場合などに、前記ミニディスク装置から離れた位置にあって前記ミニディスク装置が発生する電磁波の影響を受け難い外部アンテナを操作者が選択しようとしたとき、実際に外部アンテナが接続されていない状態であれば、その事実が表示装置に表示され、操作者に対して警告が発せられる。これにより、操作者は悪い受信状態で録音する前に外部アンテナを手動で接続することが出来る。
【０００７】
第２の発明は、少なくともミニディスクに対して記録再生するミニディスク装置と、ＡＭ放送を受信するためのアンテナを内蔵アンテナと外部アンテナとから選択してＡＭ放送を受信するＡＭ放送受信手段と、前記２アンテナの内の一つを選択する制御手段と、該制御手段におけるアンテナの選択に関連する事項を表示する表示手段とが一の筐体又は筐体内に装着されている録音機能付きラジオ受信装置であって、前記制御手段がすでに前記内蔵アンテナを選択していて、且つ前記ミニディスク装置で記録が行われる場合に、前記制御部は前記内蔵アンテナに代えて外部アンテナを選択するようにした録音機能付きラジオ受信装置である。
【０００８】
本発明によれば、ミニディスク装置で録音する場合においても、最適なアンテナを選択して良好な受信状態でＡＭ放送を受信し、これを録音することが出来る。すなわち、ミニディスク装置が記録中に発生する電磁波の悪影響は内蔵アンテナの方が受け易く、これがために、たとえ自動選択で内蔵アンテナが選択されている場合であっても、ミニディスク装置で録音がなされる場合には、前記筐体から離れていて前記電磁波の影響を受け難い外部アンテナが選択される。これにより、前記電磁波の影響を受けて雑音の多い悪い受信状態でＡＭ放送を受信したり、これを録音してしまうのを防止することができる。
【０００９】
第３の発明は、第２の発明の録音機能付きラジオ受信装置において、前記外部アンテナが前記ＡＭ放送受信手段のアンテナ端子に接続されていない場合に、前記した外部アンテナが接続されていない事実、または該事実に関連する事項を前記表示手段に表示するようにした録音機能付きラジオ受信装置である。
【００１０】
本発明によれば、外部アンテナが接続されていない状態でＡＭ放送を受信したり、録音したりするのを防止できる。すなわち、外部アンテナが接続されていなくてもＡＭ放送を受信することが可能である場合もあるから、操作者は外部アンテナが接続されていない事実を知らずに前記ミニディスク装置で録音を開始することがあり、このような場合には、前記ミニディスク装置が発生する電磁波の影響を受けて受信状態が不良である可能性が高いために、外部アンテナが接続されていない事実や、例えば、外部アンテナを接続するように、というメッセージを前記表示装置に表示して、操作者の注意を喚起する。
【００１１】
第４の発明は、第１〜第３の発明のいずれかの録音機能付きラジオ受信装置において、前記表示手段は少なくとも音響情報又は文字情報又は画像情報を表示するようにした録音機能付きラジオ受信装置である。
【００１２】
本発明によれば、外部アンテナが接続されていない場合に、外部アンテナが接続されていない、と言う事実や、該事実に関連する事項を操作者は確実に知ることが出来る。
【００１３】
第5の発明は、第２の発明又は第３の発明の録音機能付きラジオ受信装置において、前記制御手段では前記内蔵アンテナ又は前記外部アンテナを前記ＡＭ放送受信手段に接続して前記ＡＭ放送受信手段におけるＲＦ信号の振幅を比較し、該振幅が大きい方のアンテナを選択するようにした録音機能付きラジオ受信装置である。
【００１４】
本発明のよれば、雑音や歪みが少ない方のアンテナを容易に選択することが出来る。
【００１５】
第６の発明は、第２の発明の録音機能付きラジオ受信装置において、前記外部アンテナが前記ＡＭ放送受信手段のアンテナ端子に接続されていない場合に、前記ミニディスク装置による記録を禁止するようにした録音機能付きラジオ受信装置である。
【００１６】
本発明によれば、外部アンテナが接続されていない状態でミニディスク装置により録音してしまうのを防止できる。すなわち、外部アンテナが接続されていなくてもＡＭ放送を受信することが可能である場合もあるから、操作者は外部アンテナが接続されていない事実を知らずにミニディスク装置で録音を開始する可能性があるが、このような場合に、本発明では前記ミニディスク装置による録音モードが選択不可能にされる。
【００１７】
【発明の実施の形態】
本発明の録音機能付き録音機能付きラジオ受信装置は、アンテナの切り換えがＡｕｔｏであっても、Ｍａｎｕａｌであっても、外部アンテナが接続されているか、及びＭＤ  ＲＥＣモードが選択されているかに応じて、最適なアンテナを選択するか、或いは外部アンテナを接続するように等の適当な表示を行い、ミニディスク装置で記録中も良好な受信状態で受信することを可能にしたものである。
以下、発明の実施の形態について図面を参照して説明する。
図１は本発明録音機能付きラジオ受信装置の実施例を示すブロック図である。図１に示すように、録音機能付きラジオ受信装置１０は、室内アンテナ１１、外部アンテナ１２、使用するアンテナを切り換えるアンテナ切り換えスイッチ１４、アンテナから供給された高周波信号を増幅し検波するＡＭチューナ１６、該ＡＭチューナ１６から出力される音響信号を増幅する増幅部１８、スピーカ２０、ミニディスクに対して記録再生をするミニディスク装置（以下、ＭＤ  ＤＲＩＶＥ又は単にＭＤとも記す）２４、制御部２６、該制御部２６を介して録音機能付きラジオ受信装置１０を操作する操作部３２、ＡＭチューナ１６の同調回路を構成するＰＬＬ２８、表示手段３０などで構成される。表示手段３０は音響を出力するスピーカ２０と表示画面に画像を表示する表示部２２とで構成される。
【００１８】
前記録音機能付きラジオ受信装置１０の各構成要素は、外部アンテナ１２以外は一の筐体又は筐体内に装着されており、内蔵アンテナ１１は例えばバーアンテナでありＡＭチューナ１６の近傍に設置される。外部アンテナ１２は例えばループアンテナであり、前記筐体から離れた位置に設置され、着脱可能とされている。すなわち操作者は外部アンテナ１２をＡＭチューナ１６のアンテナ端子に接続したり、或いはアンテナ端子から外したりすることが出来るようにされている。外部アンテナ１２はＡＭチューナ１６のアンテナ端子を介してアンテナ切り換えスイッチ１４に接続される。アンテナ切り換えスイッチ１４は制御部２６からの制御信号に応じて、前記２アンテナの内の一方のアンテナの信号をＡＭチューナ１６に供給する。
【００１９】
ＡＭチューナ１６における同調は、操作部３２と制御部２６を介して操作者によって行われ、ＡＭチューナ１６の高周波増幅回路、ＰＬＬ２８、制御部２６によりＰＬＬによるシンセサイザ方式で行われる。
ミニディスク装置（ＭＤ  ＤＲＩＶＥ）２４では、増幅部１８から与えれる音響信号が録音され、該録音された音響信号が再生される。該再生された音響信号は増幅部１８に与えられ、スピーカ２０から音響が出力される。ミニディスク装置（ＭＤ  ＤＲＩＶＥ）２４における記録、再生の制御は制御部２６によって行われる。
【００２０】
ＡＭチューナ１６でＡＭ放送を受信するだけの場合、すなわちミニディスク装置（ＭＤ  ＤＲＩＶＥ）２４での録音が行われない場合には、受信に使用するアンテナは通常、自動（以下、Ａｕｔｏとも記す）モードで自動的に選択され、アンテナ切り換えスイッチ１４でいずれかのアンテナに切り換えられる。前記Ａｕｔｏでのアンテナの選択は、同一のチャンネルまたは周波数を内蔵アンテナ１１と外部アンテナ１２とで交互に受信し、ＡＭチューナ１６内のＲＦ増幅器におけるＲＦ信号の振幅が大きくなる方のアンテナが、受信状態の良い方のアンテナとして選択される。前記ＲＦ信号の振幅の比較は制御部２６で行われる。
【００２１】
一方、ＡＭチューナ１６でＡＭ放送を受信すると共に、ミニディスク装置（ＭＤ  ＤＲＩＶＥ）２４で記録が行われる場合には、ミニディスク装置（ＭＤ  ＤＲＩＶＥ）２４から発生される電磁波が内蔵アンテナ１１に入り、ＡＭチューナ１６での受信状態が悪化して音響信号にノイズや歪みが増加するため、使用するアンテナは外部アンテナ１２が選択される。
【００２２】
この場合、外部アンテナ１２がアンテナ端子に接続されていない場合は、外部アンテナが接続されていないと言う事実が制御部２６で検出される。そしてアンテナは内蔵アンテナ１１に切り換えられ、前記事実又は該事実に関連する事項が表示部２２の画面に画像として表示されスピーカ２０から音響として表示されて、操作者に対して警告がなされると共に、ＭＤ  ＤＲＩＶＥ２４での記録が禁止される。すなわち、ＭＤ  ＤＲＩＶＥ２４での記録モードは選択できなくされ、その旨表示部２２の画面に画像として表示され、スピーカ２０で音響として表示される。
【００２３】
なお、ＭＤ  ＤＲＩＶＥ２４で録音することが予め分かっている場合などに、操作者は前記アンテナの選択を手動（以下、Ｍａｎｕａｌとも記す）モードにして、手動で外部アンテナ１２を選択することが出来る。この場合、外部アンテナ１２がＡＭチューナ１６のアンテナ端子に接続されていない場合は、外部アンテナが接続されていないと言う事実が制御部２６で検出され、前記事実又は前記事実に関連する事項が表示部２２の画面に表示されスピーカ２０から音響が出力されて、操作者に対して警告がなされると共に、ＭＤ  ＤＲＩＶＥ２４での記録が禁止される。すなわち、ＭＤ  ＤＲＩＶＥ２４での記録モードは選択できなくされ、その旨表示部２２の画面に画像として表示され、スピーカ２０で音響として表示される。
【００２４】
前記外部アンテナ１２がアンテナ端子に接続されていないと言う事実は制御部２６により検出される。以下この点について述べる。
外部アンテナが接続されるアンテナ端子には高抵抗を介して直流電圧を印可しておくことにより、外部アンテナ１２がループアンテナのように直流的に閉じたアンテナの場合は、アンテナが接続されていれば前記外部アンテナ１２が接続される端子の両端に電圧が生じず、アンテナが接続されていなければ前記外部アンテナ１２が接続される端子の両端に電圧が生じるようにして、容易に検出、判別される。また外部アンテナ１２が例えばバーアンテナのように直流的に開いたアンテナの場合は、スイッチ１４を内蔵アンテナ側と外部アンテナ側に切り換えて同一のチャンネルを受信し、外部アンテナ側で前記ＡＭチューナ１６におけるＲＦ信号の振幅が極端に小さい場合は、外部アンテナ１２が接続されていないと判断される。
【００２５】
本発明において、アンテナの選択や、アンテナの選択に関連する表示が上記のように行われるが、この点につき図２及び図３に示すフローチャートを用いて説明する。図２は本発明におけるアンテナ切り換え手順を示すフローチャートであり、図３は本発明におけるＭＤ録音モードの処理手順を示すフローチャートである。
図２に示すフローチャートは、録音機能付きラジオ受信装置１０の電源投入時や、受信する周波数帯がＡＭまたはＦＭに切り換えられたとき、ミニディスク装置で記録モードが選択されたときなどに実行されるアンテナ切り換えの手順を示す。
【００２６】
アンテナ切り換えでは、まず，切り換えがＡｕｔｏか、と問われる（ステップＳ１１）。ステップＳ１１でＮｏの場合にはステップＳ２９へ進み、Ｙｅｓの場合にはステップＳ１３に進む。ステップＳ１３ではアンテナの切り換えが完了したか？、と問われる。制御部２６でアンテナ切り換え完了のフラグが立っていればＹｅｓとなりステップＳ２９へ進み、フラグが立っていなければＮｏとなりステップＳ１５へ進む。ステップＳ１５では、現在選択されているアンテナは内蔵アンテナか？、と問われる。ステップＳ１５でＹｅｓの場合はステップＳ１７へ進み、Ｎｏの場合はステップＳ２１へ進む。ステップＳ１７では、外部アンテナより内蔵アンテナの方が受信状態が良好か、と問われる。このステップＳ１７は、実際には前記したように制御部２６等により、内蔵アンテナ１１と外部アンテナ１２についてＲＦ信号の振幅を比較して行われる。
【００２７】
ステップＳ１７でＹｅｓの場合は、ステップＳ２７へ進み、Ｎｏの場合はステップＳ１９へ進む。ステップＳ１９ではスイッチ１４でアンテナは外部アンテナに切り換えられる。ステップＳ２１では、外部アンテナは接続済みか？、と問われる。ステップＳ２１でＹｅｓの場合はステップＳ２３へ進み、Ｎｏの場合はステップＳ２５へ進む。ステップＳ２３では、外部アンテナの方が受信状態が良好か？、と問われる。ステップＳ２３でＹｅｓの場合はステップＳ２７へ進み、Ｎｏの場合はステップＳ２５へ進む。ステップＳ２５ではスイッチ１４によりアンテナは内蔵アンテナに切り換えられる。
ステップＳ２７では、表示手段３０に画像や音響により、アンテナ切り換えＯＫ、と表示されると共に、制御部２６で切り換え完了のフラグが立てられ、ステップＳ２９へ進む。
【００２８】
ステップＳ２９は、ＭＤ  ＲＥＣモード処理であり、ミニディスク装置(ＭＤ  ＤＲＩＶＥ)２４で記録モードが選択されているか否かに応じてアンテナの接続状態が変更される。その詳細は図３に示されている。
ステップＳ２９は図３に示すＡ（ＳＴＡＲＴ）からＢ（ＲＥＴＵＲＮ）までのステップで構成されている。
図３において、まず、現在の受信アンテナは内蔵アンテナか？、と問われる（ステップＳ４１）。ステップＳ４１でＹｅｓの場合はステップＳ４３へ進み、Ｎｏの場合はＢへ進む。
【００２９】
ステップＳ４３では、ＭＤ  ＲＥＣモードが選択されているか？、と問われる。ステップＳ４３でＹｅｓの場合はステップＳ４５へ進み、Ｎｏの場合はＢへ進む。ステップＳ４５では、外部アンテナは接続済みか？、と問われる。ステップＳ４５でＹｅｓの場合はステップＳ４７へ進み、Ｎｏの場合はステップＳ５３へ進む。ステップＳ５３では、外部アンテナを接続するように、表示手段３０で表示され、ステップＳ５７へ進む。ステップＳ４７では、アンテナの切り換えはＡｕｔｏか？、と問われる。ステップＳ４７でＹｅｓの場合はステップＳ４９へ進み、Ｎｏの場合はステップＳ５５へ進む。
【００３０】
ステップＳ４９では、アンテナ切り換えスイッチ１４により外部アンテナに切り換えられ、ステップＳ５１へ進む。ステップＳ５１では、ＭＤ  ＲＥＣモードが許可され、操作者はＭＤによる録音が可能になる。ステップＳ４７でＮｏの場合にはステップＳ５５で、外部アンテナに切り換えるように、表示手段３０に表示され、ステップＳ５７へ進む。ステップＳ５７では、ＭＤによる録音が禁止され、ＭＤ  ＲＥＣモードは選択不可能にされる。アンテナ切り換えの手順は前記Ｂで終了する。
【００３１】
前記したように、本発明録音機能付きラジオ受信装置では、アンテナの切り換えがＡｕｔｏであっても、Ｍａｎｕａｌであっても、外部アンテナが接続されているか、及びＭＤ  ＲＥＣモードが選択されているかに応じて、最適なアンテナが選択されるか、或いは外部アンテナを接続するように等の適当な表示が行われることにより、操作者は、受信状態が悪い状態で受信してしまったり、あるいは該受信状態が悪い状態で受信された信号が記録されてしまうことを確実に防止することが可能である。換言すればアンテナの選択が確実に行え、ミニディスク装置で記録中も良好な受信状態で受信することが可能になる。
【図面の簡単な説明】
【図１】本発明録音機能付きラジオ受信装置の実施例を示すブロック図である。
【図２】本発明におけるアンテナ切り換え手順を示すフローチャートである。
【図３】本発明におけるＭＤ録音モードの処理手順を示すフローチャートである。
【符号の説明】
１１    内蔵アンテナ
１２    外部アンテナ
１４    アンテナ切り換えスイッチ
１６    ＡＭチューナ
２４    ミニディスク装置（ＭＤ  ＤＲＩＶＥ）
２６    制御部
３０    表示手段
３２    操作部
【図１】
0003789269.tif 000002
【図２】
0003789269.tif 000003
【図３】
0003789269.tif 000004